(57)【要約】【課題】Ｉｕ−Ｆｌｅｘ技術を利用した移動通信システムにおけるＳＧＳＮ異常発生時の着信不可現象の回避。【解決手段】移動通信システムに備えられた状態確認手段（ＨＬＲ２０２）が、各交換機（ＳＧＳＮ２０６、２０７）に対してヘルスチェック信号ＨＣを送信することにより異常の有無を確認する。前記ヘルスチェックの結果、異常が検出された場合、移動通信システムに備えられた位置登録要求手段（ＨＬＲ２０２）が、他の交換機（ＳＧＳＮ２０７）を介して、交換機（ＳＧＳＮ２０６）が管理する位置登録エリア（ＲＡ２１０）に登録されたすべての移動局（ＵＥ３００を含む）に対して、ＲＮＣ２０８への位置登録処理を要求する位置登録要求信号を送信する。位置登録要求信号を受信した移動局が、他の交換機（ＳＧＳＮ２０７）に接続をし直すことにより、着信可能な状態に復帰する。【選択図】図６
2008236529.tif 000002
【特許請求の範囲】
【請求項１】
グループ化された複数の交換機に接続された無線制御装置が前記各交換機の負荷に応じて位置登録を要求する交換機を選択可能な移動通信システムであって、
前記各交換機に対してヘルスチェック信号を送信し、異常の有無を確認する状態確認手段と、
前記状態確認手段により交換機の異常が検出された場合に、該交換機を介して接続する移動局が在圏する位置登録エリアを特定する位置登録エリア特定手段と、
前記特定した位置登録エリアに対応する無線制御装置に対し、前記異常が検出された交換機とは別の交換機を介して、配下の移動局に対する位置登録要求信号の送信を依頼する位置登録要求手段と、を備えたこと、
を特徴とする移動通信システム。
【請求項２】
前記状態確認手段は、
複数のグループに対して前記ヘルスチェック信号を送信し、前記各グループに含まれる交換機の状態をそれぞれ監視すること、
を特徴とする請求項１に記載の移動通信システム。
【請求項３】
前記状態確認手段は、ホームロケーションレジスタの一機能として備えられ、
前記ホームロケーションレジスタと前記各交換機との間にヘルスチェック用のインタフェースが設けられていること、
を特徴とする請求項１又は２に記載の移動通信システム。
【請求項４】
グループ化された複数の交換機に接続された無線制御装置が前記各交換機の負荷に応じて位置登録を要求する交換機を選択可能な移動通信システムにおける移動局の強制位置登録方法であって、
前記移動通信システムに備えられた状態確認手段が、前記各交換機に対してヘルスチェック信号を送信し、異常の有無を確認し、
前記状態確認手段により異常が検出された場合、前記移動通信システムに備えられた位置登録エリア特定手段が、前記異常が検出された交換機を介して接続する移動局が在圏する位置登録エリアを特定し、
前記移動通信システムに備えられた位置登録要求手段が、前記特定した位置登録エリアに対応する無線制御装置に対し、前記異常が検出された交換機とは別の交換機を介して、配下の移動局に対する位置登録要求信号の送信を依頼すること、
を特徴とする移動通信システムにおける移動局の強制位置登録方法。
【発明の詳細な説明】
【技術分野】
【０００１】
本発明は、移動通信システム及び移動局の強制位置登録方法に関し、特に、並列に配置され同一の位置登録エリアを管理する複数の交換機と、前記各交換機に接続されている無線制御装置とによって構成される移動通信システム及び移動局の強制位置登録方法に関する。
【背景技術】
【０００２】
非特許文献１に、並列に配置され同一の位置登録エリアを管理する複数の交換機と、前記各交換機に接続されている無線制御装置とによって各交換機における処理負荷の分散を図ることができるＩｕ−Ｆｌｅｘ技術が記載されている。
【０００３】
図１は、Ｉｕ−Ｆｌｅｘ技術を導入した移動通信システムを模式的に表した図であり、ＲＮＣ（無線制御装置）２０８が、同一の位置登録エリア（例えば、ＲＡ２１０）を管理するＳＧＳＮ（交換機；Ｓｅｒｖｉｃｅ  ＧＰＲＳ  Ｓｕｐｐｏｒｔ  Ｎｏｄｅ）２０６、２０７によって接続された構成となっている。
【０００４】
ＲＮＣ（無線制御装置）２０８は、配下のＵＥ（移動局）３００から位置登録要求信号を受信すると、上位のＳＧＳＮ２０６、２０７の負荷状況に応じて、位置登録処理を行うＳＧＳＮを決定し、移動登録要求を転送することにより負荷の分散を行うことが可能となっている。
【０００５】
また、特許文献１には、上記同様のＳＧＳＮ及び基地局制御装置（ＢＳＣ）を含んだ移動通信システムにおいて接続を中断せずにＳＧＳＮを変更する方法が開示されている。
【０００６】
【特許文献１】特表２００１−５００３４２号公報
【非特許文献１】３ＧＰＰ  ＴＳ  ２３．２３６  Ｖ５．４．０  "Intra-domain connection of Radio Access Network (RAN) nodes to multiple Core Network (CN) nodes"
【発明の開示】
【発明が解決しようとする課題】
【０００７】
しかしながら、上記した従来技術では、ＳＧＳＮに異常が発生した場合に着信ができなくなってしまうという事象が発生してしまう。図８に示すように、ＵＥ３００が、ＳＧＳＮ１０６とＧＧＳＮ１０４を経由して位置登録を完了している状態で、ＳＧＳＮ１０６に異常が発生している場合、ＵＥ３００への着信があると、ＧＷ（ゲートウェイ）１０１から着信要求を受け取ったＧＧＳＮ（Ｇａｔｅｗａｙ  ＧＰＲＳ  Ｓｕｐｐｏｒｔ  Ｎｏｄｅ）１０４が、ＨＬＲ（ホームロケーションレジスタ）１０２に問い合せを行い、ＵＥ３００がＳＧＳＮ１０６を経由して位置登録していることを確認できるが、ＳＧＳＮ１０６への着信要求の転送が不成功となるため、ＵＥ３００は着信不可能となってしまう。この着信不可状態は、ＵＥ３００が定期位置登録をする又はＲＡ（ルーチングエリア）１１０から別のＲＡ（例えば、ＲＡ１１１）ヘ移動するまで継続してしまう。
【０００８】
この点、特許文献１に記載の技術をもってしても、ＳＧＳＮの異常を能動的に検知することが不可能である上、異常が発生したＳＧＳＮから新たなＳＧＳＮへの引き継ぐためのロードができるという保証はないため、ＵＥ３００は着信不可状態に陥ってしまう。
【０００９】
本発明は、上記した事情に鑑みてなされたものであって、その目的とするところは、上記ＳＧＳＮの異常により着信不可状態に陥ったＵＥを、早期に着信等のサービスを受けられる状態に戻すことのできる移動通信システム及びそのために実施するＵＥの強制位置登録方法を提供することにある。
【課題を解決するための手段】
【００１０】
本発明の第１の視点によれば、グループ化された複数の交換機（ＳＧＳＮ）に接続された無線制御装置（ＲＮＣ）が前記各交換機（ＳＧＳＮ）の負荷に応じて位置登録を要求する交換機（ＳＧＳＮ）を選択可能な移動通信システムであって、前記各交換機（ＳＧＳＮ）に対してヘルスチェック信号を送信し、異常の有無を確認する状態確認手段と、前記状態確認手段により交換機（第１のＳＧＳＮ）の異常が検出された場合に、該交換機（第１のＳＧＳＮ）を介して接続する移動局が在圏する位置登録エリア（ＲＡ）を特定する位置登録エリア特定手段と、前記特定した位置登録エリア（ＲＡ）に対応する無線制御装置（ＲＮＣ）に対し、前記異常が検出された交換機（第１のＳＧＳＮ）とは別の交換機（第２のＳＧＳＮ）を介して、配下の移動局（ＵＥ）に対する位置登録要求信号の送信を依頼する位置登録要求手段と、を備えたこと、を特徴とする移動通信システムが提供される。
【００１１】
本発明の第２の視点によれば、グループ化された複数の交換機（ＳＧＳＮ）に接続された無線制御装置（ＲＮＣ）が前記各交換機（ＳＧＳＮ）の負荷に応じて位置登録を要求する交換機（ＳＧＳＮ）を選択可能な移動通信システムにおける移動局（ＵＥ）の強制位置登録方法であって、前記移動通信システムに備えられた状態確認手段が、前記各交換機（ＳＧＳＮ）に対してヘルスチェック信号を送信し、異常の有無を確認し、前記状態確認手段により異常が検出された場合、前記移動通信システムに備えられた位置登録エリア特定手段が、前記異常が検出された交換機（第１のＳＧＳＮ）を介して接続する移動局（ＵＥ）が在圏する位置登録エリア（ＲＡ）を特定し、前記移動通信システムに備えられた位置登録要求手段が、前記特定した位置登録エリア（ＲＡ）に対応する無線制御装置（ＲＮＣ）に対し、前記異常が検出された交換機（第１のＳＧＳＮ）とは別の交換機（第２のＳＧＳＮ）を介して、配下の移動局（ＵＥ）に対する位置登録要求信号の送信を依頼すること、を特徴とする移動通信システムにおける移動局の強制位置登録方法が提供される。
【発明の効果】
【００１２】
本発明によれば、着信不可状態に陥ったＵＥに、早期かつ強制的に位置登録処理を実行させ、サービスを受けられる状態に戻すことが可能となる。
【発明を実施するための最良の形態】
【００１３】
続いて、本発明を実施するための最良の形態について図面を参照して詳細に説明する。図１は、本発明の一実施形態に係る移動通信システムの構成を模式的に表した図である。
【００１４】
図１を参照すると、ＧＷ２０１と、ＨＬＲ２０２と、負荷分散を行うＳＧＳＮを含んだＰｏｏｌ  Ａｒｅａ（プールエリア）２００と、ＵＥ３００と、ＲＡ（位置登録エリア）２１０、ＲＡ２１１が示されている。以下、本実施形態では、Ｐｏｏｌ  Ａｒｅａ２００には、それぞれ２つのＧＧＳＮ２０４、２０５と、ＳＧＳＮ２０６、２０７と、ＲＮＣ２０８、２０９と、が属しているものとする。
【００１５】
図２は、上記ＨＬＲ２０２と、ＧＧＳＮ２０４（２０５）と、ＳＧＳＮ２０６（２０７）と、ＲＮＣ２０８（２０９）との各装置の詳細構成を表した図である。
【００１６】
ＨＬＲ２０２は、状態確認手段として機能し、ＳＧＳＮの状態を監視するためのＳＧＳＮ状態監視部２０２４と、記憶部２０２５に記憶された内容を参照し、位置登録エリア特定手段及び位置登録要求手段として機能する演算部２０２２と、管理対象とするＰｏｏｌ  Ａｒｅａに在圏しているＵＥが従属するＳＧＳＮ、各ＳＧＳＮの上位ＧＧＳＮ、現在位置（ＲＡ  ＩＤ）等のＳＧＳＮ情報を格納する記憶部２０２５と、それぞれＧＧＳＮ２０４（２０５）及びＳＧＳＮ２０６（２０７）とのインタフェースを構成するＳＧＳＮ  ＩＦ２０２１と、ＧＧＳＮ  ＩＦ２０２３と、を含んで構成されている。
【００１７】
ＳＧＳＮ  ＩＦ２０２１は、ＳＧＳＮ２０６のＨＬＲ  ＩＦ２０６１と接続され、演算部２０２２を経由するＳＧＳＮ状態監視部２０２４からのヘルスチェック信号の送出／応答に使用される。ＧＧＳＮ  ＩＦ２０２３は、ＧＧＳＮ２０４のＨＬＲ  ＩＦ２０４１と接続され、後記する位置登録要求信号の送信依頼やＧＧＳＮ２０４からの位置照会等に使用される。
【００１８】
ＳＧＳＮ状態監視部２０２４は、ＳＧＳＮ２０６（２０７）に対してヘルスチェック信号を送信し、その結果に基づいて、各ＳＧＳＮ２０６（２０７）の状態情報を格納するＳＧＳＮ状態ＤＢ２０２４ａの内容を更新し、ＳＧＳＮの異常が検出された場合には、演算部２０２２に対して位置登録要求信号の送出を依頼する（ＳＧＳＮ状態監視機能）。図３は、上記ＳＧＳＮ状態ＤＢ２０２４ａに登録される情報及びその具体例を表した図である。
【００１９】
演算部２０２２は、記憶部２０２５のＳＧＳＮ情報に基づいてＨＬＲとしての基本機能を実現するとともに、ＳＧＳＮ状態監視部２０２４からの位置登録要求信号の送出依頼に基づいて、異常の無い他のＳＧＳＮを選択して、異常が発生したＳＧＳＮに接続するすべてのＵＥに対して位置登録要求信号を送信する（強制位置登録要求機能）。図４は、上記ＳＧＳＮ情報として登録される項目及びその具体例を表した図である。
【００２０】
ＧＧＳＮ２０４は、図示省略するインターネットやイントラネットとのゲートウェイ機能やローミング機能に伴う呼処理のほか、ＨＬＲ２０２から送信された位置登録要求信号を下位のＳＧＳＮに送信する演算部２０４２と、それぞれＨＬＲ２０２及びＳＧＳＮ２０６（２０７）とのインタフェースを構成するＨＬＲ  ＩＦ２０４１と、ＳＧＳＮ  ＩＦ２０４３と、を含んで構成されている。
【００２１】
ＳＧＳＮ２０６は、管轄するＲＡに在圏するＵＥの呼処理のほか、ＧＧＳＮ２０４から送信された位置登録要求信号を下位のＲＮＣに送信する演算部２０６３と、自機の状態を監視し、その結果を状態情報記憶部２０６５ａに記憶する状態監視部２０６５と、それぞれＨＬＲ２０２、ＧＧＳＮ２０４及びＲＮＣ２０８、２０９とのインタフェースを構成するＨＬＲ  ＩＦ２０６１と、ＧＧＳＮ  ＩＦ２０６２と、ＲＮＣ  ＩＦ２０６４と、を含んで構成されている。
【００２２】
ＲＮＣ２０８は、上位のＳＧＳＮ２０６、２０７とのインタフェース（Ｉｕ−Ｆｌｅｘインタフェース）を構成するＳＧＳＮ  ＩＦ２０８１、を含んで構成され、ＳＧＳＮから位置登録要求信号を受信した場合に、配下のＵＥに位置登録要求信号を送信する機能を備えている。
【００２３】
なお、上記説明で省略したＧＧＳＮ２０５、ＳＧＳＮ２０７、ＲＮＣ２０９についても、上記ＧＧＳＮ２０４、ＳＧＳＮ２０６、ＲＮＣ２０８と同様の構成であるものとする。
【００２４】
続いて、本実施形態に係る移動通信システムの具体的な動作について図１、図５〜図７を参照して詳細に説明する。
【００２５】
図１において、ＵＥ３００が位置登録要求を行うと、ＲＮＣ２０８は、ＵＥ３００より受け取った端末情報を、ＳＧＳＮに対して転送する。ここでは、ＲＮＣ２０８は、ＳＧＳＮ２０６を選択したものとして説明する（ステップＳ１）。
【００２６】
ＳＧＳＮ２０６は、ＲＮＣ２０８より受け取った端末情報を、ＨＬＲ２０２に対して転送する（ステップＳ２）。
【００２７】
ＨＬＲ２０２は、ＳＧＳＮ２０６より受け取った端末情報に基づき、ＵＥが従属するＳＧＳＮ、各ＳＧＳＮの上位ＧＧＳＮ、現在位置（ＲＡ  ＩＤ）等のＳＧＳＮ情報を記憶部２０２５に記憶する（ステップＳ３）。これにより、ＨＬＲ２０２に対する位置登録が完了する。
【００２８】
ＨＬＲ２０２は、上記位置登録動作とは別に、図５に示すように、所定の時間間隔で、ＳＧＳＮの状態監視を行うため、ＳＧＳＮ２０６、ＳＧＳＮ２０７に対してヘルスチェック信号ＨＣを送信する（ステップＳ４）。
【００２９】
ＳＧＳＮ２０６、ＳＧＳＮ２０７は、前記ヘルスチェック信号ＨＣに対する応答として、それぞれ状態監視部で把握している自機の状態情報を送信する（ステップＳ５）。
【００３０】
ＨＬＲ２０２は、前記ＳＧＳＮ２０６、ＳＧＳＮ２０７からの応答有無やその内容に応じて、ＳＧＳＮ状態ＤＢ２０２４ａの内容を更新する（ステップＳ６）。
【００３１】
ここで、図６に示すようにＳＧＳＮ２０６に異常が発生した場合を例に挙げて説明する。ＳＧＳＮ２０６が、例えば、故障していた場合、ＨＬＲ２０２からのヘルスチェック信号ＨＣに対する応答は行われないこととなる。このとき、ＨＬＲ２０２のＳＧＳＮ状態監視部２０２４は、ＳＧＳＮ２０６に異常が発生したものと判断し、ＳＧＳＮ状態ＤＢ２０２４ａ内のＳＧＳＮ  ＩＤ＝ＳＧＳＮ２０６の状態情報（Ｓｔａｔｅ）を、ＡｃｔからＳｂｙに書き換える（図３参照）。
【００３２】
次に、ＨＬＲ２０２は、記憶部２０２５内のＳＧＳＮ情報を参照し、異常が求められたＳＧＳＮ２０６をＤｅｓｔｉｎａｔｉｏｎとするデータを読み出し、そのＰｏｏｌ  Ａｒｅａ  ＩＤ（ＰＡ）及びＲＡを読み出し、当該Ｐｏｏｌ  Ａｒｅａに属するＳＧＳＮの中から、ＳＧＳＮ２０６に置換しうるＳＧＳＮを選択する（ステップＳ７）。ここでは、ＨＬＲ２０２は、図４に例示するＳＧＳＮ情報から、ＳＧＳＮ２０６が属するＰｏｏｌ  Ａｒｅａ２００（Ｐｏｏｌ  Ａｒｅａ  ＩＤ＝ＰＡ２００）と、ＲＡ２１０（ＲＡ  ＩＤ＝２１０）を読み出し、Ｐｏｏｌ  Ａｒｅａ２００に属するＳＧＳＮの中からＳＧＳＮ２０７を選択したものとして説明する。
【００３３】
ＳＧＳＮ２０７を選択したＨＬＲ２０２は、更に、記憶部２０２５内のＳＧＳＮ情報を参照し、選択したＳＧＳＮ２０７が接続するＧＧＳＮを特定し、当該ＧＧＳＮに対して、ステップＳ７で読み出したＲＡ２１０を指定して、位置登録要求信号の送信依頼を送信する（ステップＳ８）。ここでは、ＨＬＲ２０２は、図４に例示するＳＧＳＮ情報から、ＳＧＳＮ２０７が接続するＧＧＳＮ２０５を特定し、位置登録要求信号の送信依頼を送信することとなる。
【００３４】
前記位置登録要求信号の送信依頼を受信したＧＧＳＮ２０５は、ＳＧＳＮ２０７に対して、ＲＡ２１０を指定した位置登録要求信号の送信依頼を送信する（ステップＳ９）。更に、前記位置登録要求信号の送信依頼を受信したＳＧＳＮ２０７は、指定されたＲＡ２１０に対応するＲＮＣ２０８に対して、位置登録要求信号の送信依頼を送信する（ステップＳ１０）。
【００３５】
前記位置登録要求信号の送信依頼を受信したＲＮＣ２０８は、自分自身のサービスエリアであるＲＡ２１０（ＲＡ  ＩＤ＝ＲＡ２１０）配下の全ＵＥに対して位置登録要求信号を送信する（ステップＳ１１）。
【００３６】
ＲＮＣ２０８から位置登録要求信号を受信したＵＥ３００が、通常の位置登録信号、例えば、”Ｎｏｒｍａｌ  Ｒｏｕｔｉｎｇ  Ａｒｅａ  Ｕｐｄａｔｅ”や”ＧＰＲＳ  ａｔｔａｃｈ”を、ＲＮＣ２０８に対して送信すると（ステップＳ１２）、ＲＮＣ２０８は、上記ステップＳ１〜Ｓ３と同様に、Ｐｏｏｌ  Ａｒｅａ２００内にて故障していないＳＧＳＮ２０７を選択して通常の登録処理を行う（ステップＳ１３）。
【００３７】
上記ステップＳ１３の処理が完了した時点で、ＧＷ（ゲートウェイ）２０１から着信要求を受け取ったＧＧＳＮ２０４がＵＥ３００が接続しているＳＧＳＮ２０７に着信要求を送信可能となるため、ＵＥ３００への着信不可事象は発生しなくなる。
【００３８】
したがって、接続中のＳＧＳＮに呼処理ができなくなるような異常が生じた場合であっても、従来のように、ＵＥの定期位置登録や別ＲＡヘの移動による位置登録を待つことなく、速やかに着信を受けることが可能となる。
【００３９】
以上、本発明の好適な実施形態を説明したが、ＨＬＲがＳＧＳＮの状態監視を行い、異常を検知した場合に、当該ＳＧＳＮに接続しているＵＥに強制的に位置登録を行わせるという本発明の要旨を逸脱しない範囲で、当業者がなしうる各種の変形・置換を行うことができる。
【００４０】
例えば、上記した実施形態では、ＨＬＲ２０２からのヘルスチェック信号に対する応答が無い場合に、ＨＬＲ２０２が、他のＳＧＳＮ２０７を選択し、位置登録要求信号を送信するものとして説明したが、ＨＬＲ２０２からのヘルスチェック信号に対して、その他異常を伝える応答が返された場合にも、同様の動作をさせることができる。
【００４１】
例えば、上記した実施形態では、説明の便宜のため、ＰＡ２００内に２つのＳＧＳＮのみがあるものとして説明したが、ＳＧＳＮが複数ある場合においても同様の動作をさせることができる。
【００４２】
上記した実施形態では、説明の便宜のため、ＨＬＲ２０２がＰＡ２００を管理する例を挙げて説明したが、図４に例示したように、ＳＧＳＮ情報にＰｏｏｌ  Ａｒｅａ  ＩＤを持たせることで、複数のＰｏｏｌ  Ａｒｅａを管理対象とすることができる。もちろん、図４のような単一のテーブルで管理する必要はなく、例えば、Ｐｏｏｌ  Ａｒｅａと従属するＳＧＳＮの関係や、ＳＧＳＮとＧＧＳＮ間の従属関係は、別のテーブル等に分けることも可能である。
【図面の簡単な説明】
【００４３】
【図１】本発明の一実施形態に係る移動通信システムの構成を模式的に表した図である。
【図２】本発明の一実施形態に係る移動通信システムの詳細構成を表した図である。
【図３】本発明の一実施形態に係る移動通信システムのＨＬＲで管理されるＳＧＳＮ状態ＤＢに登録される情報及びその具体例を表した図である。
【図４】本発明の一実施形態に係る移動通信システムのＨＬＲで管理されるＳＧＳＮ情報として登録される項目及びその具体例を表した図である。
【図５】本発明の一実施形態に係る移動通信システムの動作を説明するための図である。
【図６】本発明の一実施形態に係る移動通信システムの動作を説明するための図である。
【図７】本発明の一実施形態に係る移動通信システムの動作を説明するための図である。
【図８】従来の移動通信システムの問題点を説明するための図である。
【符号の説明】
【００４４】
１００、２００  Ｐｏｏｌ  Ａｒｅａ（プールエリア）
１０１、２０１  ＧＷ（ゲートウェイ）
１０２、２０２  ＨＬＲ（ホームロケーションレジスタ）
１０４、１０５、２０４、２０５  ＧＧＳＮ（Ｇａｔｅｗａｙ  ＧＰＲＳ  Ｓｕｐｐｏｒｔ  Ｎｏｄｅ）
１０６、１０７、２０６、２０７  ＳＧＳＮ（交換機；Ｓｅｒｖｉｃｅ  ＧＰＲＳ  Ｓｕｐｐｏｒｔ  Ｎｏｄｅ）
１０８、１０９、２０８、２０９  ＲＮＣ（無線制御装置）
１１０、１１１、２１０、２１１  ＲＡ（位置登録エリア）
３００  ＵＥ（Ｕｓｅｒ  Ｅｎｔｉｔｙ；移動局）
２０２１、２０４３、２０８１  ＳＧＳＮ  ＩＦ
２０２２、２０４２、２０６３  演算部
２０２３、２０６２  ＧＧＳＮ  ＩＦ
２０２４  ＳＧＳＮ状態監視部
２０２４ａ  ＳＧＳＮ状態ＤＢ（データベース）
２０２５  記憶部
２０４１、２０６１  ＨＬＲ  ＩＦ
２０６４  ＲＮＣ  ＩＦ
２０６５  状態監視部
２０６５ａ  状態情報記憶部
【図１】
2008236529.tif 000003
【図２】
2008236529.tif 000004
【図３】
2008236529.tif 000005
【図４】
2008236529.tif 000006
【図５】
2008236529.tif 000007
【図６】
2008236529.tif 000008
【図７】
2008236529.tif 000009
【図８】
2008236529.tif 000010